【事件の表示】
　特願２０１４−１６７１９０「空間多重を使用したマルチメディア・ブロードキャスト・マルチキャスト・サービス（ＭＢＭＳ）」拒絶査定不服審判事件〔平成２７年　１月１５日出願公開、特開２０１５−　　８５１１、請求項の数（１５）〕について、次のとおり審決する。
【結　論】
　原査定を取り消す。
　本願の発明は、特許すべきものとする。
【理　由】
第１．手続の経緯　
　本願は、平成２１年（２００９年）３月２０日（パリ条約による優先権主張　２００８年３月２１日（ＵＳ）アメリカ合衆国）を国際出願日とする特願２０１１−５００３１０号の一部を平成２５年７月１６日に新たに特許出願した特願２０１３−１４７５２７号、その特願２０１３−１４７５２７号の一部を新たに特許出願したものであって、手続の概要は以下のとおりである。
平成２６年　８月２０日　特許出願
平成２６年　８月２０日　手続補正書
平成２７年　７月　７日　拒絶理由通知
平成２７年１０月　２日　意見書、手続補正書
平成２８年　１月２８日　拒絶査定
平成２８年　６月　１日　審判請求
平成２９年　２月　７日　拒絶理由通知
平成２９年　２月１６日　手続補正書
第２．特許請求の範囲の記載
　本願の特許請求の範囲の記載は、平成２９年２月１６日付けの手続補正書の特許請求の範囲に記載された以下のとおりのものである。
「　　【請求項１】
　第１のＭＢＭＳ地帯にサービスを提供する１つ以上の第１の基地局であって、前記１つ以上の第１の基地局が前記第１のＭＢＭＳ地帯に属すると識別する情報を送信するように構成された１つ以上の第１の基地局と、
　第２のＭＢＭＳ地帯にサービスを提供する１つ以上の第２の基地局であって、前記１つ以上の第２の基地局が前記第２のＭＢＭＳ地帯に属すると識別する情報を送信するように構成された１つ以上の第２の基地局とを備え、
　前記第１と第２のＭＢＭＳ地帯に位置する複数のユーザ・エレメントは、前記１つ以上の第１の基地局が第１のＭＢＭＳ地帯に属すると識別する前記１つ以上の第１の基地局によって送信された情報と、前記１つ以上の第２の基地局が第２のＭＢＭＳ地帯に属すると識別する前記１つ以上の第２の基地局によって送信された情報とに基づいて、前記第１と第２のＭＢＭＳ地帯の間のハンドオフをいつ行うか判定することができ、
　マルチメディア・ブロードキャスト・マルチキャストサービス（ＭＢＭ
Ｓ）を供給する無線通信システム。
　　【請求項２】
　前記１つ以上の第１の基地局はさらに、ＳＭ地帯内に位置する１つ以上のＳＭイネーブルされたユーザ・エレメントに、前記１つ以上の第１の基地局が前記ＳＭ地帯に属すると識別する情報を送信するように構成され、
　前記１つ以上の第２の基地局はさらに、非ＳＭ地帯内に位置する１つ以上のＳＭイネーブルされたユーザ・エレメントに、前記１つ以上の第２の基地局が前記非ＳＭ地帯に属すると識別する情報を送信するように構成された、
　請求項１に記載の無線通信システム。
　　【請求項３】
　前記ＳＭ地帯に位置する１つ以上のＳＭイネーブルされたユーザ・エレメントは、前記１つ以上の第１の基地局からの、前記１つ以上の第１の基地局が前記ＳＭ地帯に属すると識別する情報の受信に呼応してＳＭ受信モードに入り、前記非ＳＭ地帯に位置する１つ以上のＳＭイネーブルされたユーザ・エレメントは、前記１つ以上の第２の基地局からの、前記１つ以上の第２の基地局が前記非ＳＭ地帯に属すると識別する情報の受信に呼応して非ＳＭ受信モードで動作する、請求項２に記載の無線通信システム。
　　【請求項４】
　共通のパイロット・パターンは、第１のＭＩＭＯレイヤのための前記１つ以上の第１の基地局と前記１つ以上の第２の基地局とに利用されている、請求項１に記載の無線通信システム。
　　【請求項５】
　空間多重送信方式を使用して高度サービスをブロードキャストしているとき、利用されている１つ以上の追加ＭＩＭＯに追加の複数のパイロット・シンボル位置が含まれている、請求項４に記載の無線通信システム。
　　【請求項６】
　第１のＭＢＭＳ地帯には複数の第１の基地局が存在し、前記第１のＭＢＭＳ地帯に属する第１の基地局を識別する情報を、前記第１の基地局から受信する処理と、
　第２のＭＢＭＳ地帯には複数の第２の基地局が存在し、前記第２のＭＢＭＳ地帯に属する第２の基地局を識別する情報を、前記第２の基地局から受信する処理と、
　前記１の基地局が前記第１のＭＢＭＳ地帯に属すると識別する、前記第１の基地局によって送信された情報と、前記２の基地局が前記第２のＭＢＭＳ地帯に属すると識別する、前記第２の基地局によって送信された情報とに基づいて、前記第１のＭＢＭＳ地帯と前記第２のＭＢＭＳ地帯との間のハンドオフをいつ行うかを判定する処理と、
　を含む方法。
　　【請求項７】
　前記複数の第１の基地局は、ＳＭ地帯内に位置する１つ以上のＳＭイネーブルされたユーザ・エレメントに、前記複数の第１の基地局が前記ＳＭ地帯に属すると識別する情報を送信するよう適合され、
　前記複数の第２の基地局は、非ＳＭ地帯内に位置する１つ以上のＳＭイ
ネーブルされたユーザ・エレメントに、前記複数の第２の基地局が前記非ＳＭ地帯に属すると識別する情報を送信するよう適合される、請求項６に記載の方法。
　　【請求項８】
　前記ＳＭ地帯に位置する１つ以上のＳＭイネーブルされたユーザ・エレメントは、前記複数の第１の基地局からの、前記複数の第１の基地局が前記ＳＭ地帯に属すると識別する情報の受信に呼応してＳＭ受信モードに入り、前記非ＳＭ地帯に位置する１つ以上のＳＭイネーブルされたユーザ・エレメントは、前記複数の第２の基地局からの、前記複数の第２の基地局が前記非ＳＭ地帯に属すると識別する情報の受信に呼応して非ＳＭ受信モードで動作する、請求項７に記載の方法。
　　【請求項９】
　共通のパイロット・パターンは、第１のＭＩＭＯレイヤのための前記複数の第１の基地局と前記複数の第２の基地局によって利用されている、請求項６に記載の方法。
　　【請求項１０】
　空間多重送信方式を使用して高度サービスをブロードキャストしているとき、利用されている１つ以上の追加ＭＩＭＯに追加の複数のパイロット・シンボル位置が含まれている、請求項９に記載の方法。
　　【請求項１１】
　複数の基地局と無線通信を実行するよう構成された無線通信回路と、
　前記無線通信回路に結合されたハードウェアプロセッサと、を含むユー
ザ・エレメントであって、
　前記ハードウェアプロセッサは、前記無線通信回路と共に動作し、
　　第１のＭＢＭＳ地帯には複数の第１の基地局が存在し、前記第１のＭＢＭＳ地帯に属する第１の基地局を識別する情報を、前記第１の基地局から受信し、
　　第２のＭＢＭＳ地帯には複数の第２の基地局が存在し、前記第２のＭＢＭＳ地帯に属する第２の基地局を識別する情報を、前記第２の基地局から受信し、
　前記１の基地局が前記第１のＭＢＭＳ地帯に属すると識別する、前記第１の基地局によって送信された情報と、前記２の基地局が前記第２のＭＢＭＳ地帯に属すると識別する、前記第２の基地局によって送信された情報とに基づいて、前記第１のＭＢＭＳ地帯と前記第２のＭＢＭＳ地帯との間のハンドオフをいつ行うかを判定する、ように構成されたユーザ・エレメント。
　　【請求項１２】
　前記複数の第１の基地局は、ＳＭ地帯内に位置する１つ以上のＳＭイネーブルされたユーザ・エレメントに、前記複数の第１の基地局が前記ＳＭ地帯に属すると識別する情報を送信するよう適合され、
　前記複数の第２の基地局は、非ＳＭ地帯内に位置する１つ以上のＳＭイ
ネーブルされたユーザ・エレメントに、前記複数の第２の基地局が前記非ＳＭ地帯に属すると識別する情報を送信するよう適合される、請求項１１に記載のユーザ・エレメント。
　　【請求項１３】
　前記ＳＭ地帯に位置する１つ以上のＳＭイネーブルされたユーザ・エレメントは、前記複数の第１の基地局からの、前記複数の第１の基地局が前記ＳＭ地帯に属すると識別する情報の受信に呼応してＳＭ受信モードに入り、前記非ＳＭ地帯に位置する１つ以上のＳＭイネーブルされたユーザ・エレメントは、前記複数の第２の基地局からの、前記複数の第２の基地局が前記非ＳＭ地帯に属すると識別する情報の受信に呼応して非ＳＭ受信モードで動作する、請求項１２に記載のユーザ・エレメント。
　　【請求項１４】
　共通のパイロット・パターンは、第１のＭＩＭＯレイヤのための前記複数の第１の基地局と前記複数の第２の基地局によって利用されている、請求項１２に記載のユーザ・エレメント。
　　【請求項１５】
　空間多重送信方式を使用して高度サービスをブロードキャストしているとき、利用されている１つ以上の追加ＭＩＭＯに追加の複数のパイロット・シンボル位置が含まれている、請求項１４に記載のユーザ・エレメント。」
第３．当審の拒絶理由
　平成２９年２月７日付けで通知した当審の拒絶理由の概要は、特許請求の範囲の請求項の記載が不備のため、特許法第３６条第６項第２号に規定する要件を満たしていないというものである。
　上記「第２．特許請求の範囲の記載」に記載したように、本願の特許請求の範囲の請求項の記載は、補正によって明確なものとなり、当審の拒絶理由は解消した。
第４．原査定の理由の概要
　原査定の理由の概要は、本願の請求項１−１５に係る発明は、その出願前に日本国内又は外国において、頒布された下記の刊行物に記載された発明に基いて、その出願前にその発明の属する技術の分野における通常の知識を有する者が容易に発明をすることができたものであるから、特許法第２９条第２項の規定により特許を受けることができないというものである。
　
１．米国特許出願公開第２００４／０２０３８１６号明細書（以下、「引用例１」という。）
２．特表２００７−５３６７９０号公報（以下、「引用例２」という。）
３．特開２００３−３２１７９号公報（以下、「引用例３」という。）
４．国際公開第２００８／０２０７３６号（以下、「引用例４」という。）
第５．当審の判断
１．引用発明
　原査定の拒絶の理由に引用された引用例１には、図面とともに、以下の記載がなされている。
　
（１）「[0010]  It is another object of the present invention to provide an apparatus and method for adapting broadcast service zone IDs to identify zones in which the same broadcast service is available. 
[0011]  It is yet another object of the present invention to provide a broadcast service apparatus and method for controlling a base station to transmit a broadcast service zone ID to a mobile station (MS) via an overhead message, such that the MS can recognize a broadcast service zone of a corresponding area. 
[0012]  In accordance with one aspect of the present invention, the above and other objects can be accomplished by a method for controlling a Mobile Station (MS) to receive BCMCS (Broadcast/Multicast Service) data in a mobile communication system including at least one BCMCS controllers and the MS for receiving the BCMCS data through a BSs (Base stations), comprising the steps of: receiving, from a new BS, a new BCMCS zone ID that is different from a prestored old BCMCS zone ID, while receiving old BCMCS data from an old BS; requesting new BCMCS data to the new BS; establishing a channel with the new BS; receiving a BCMCS information from the new BS; and receiving the new BCMCS data from the new BS using the BCMCS information.」
（当審訳
［００１０］本発明の別の目的は、同じブロードキャスト・サービスが得られる区域を識別するブロードキャスト・サービス区域ＩＤを適合させるための装置と方法を提供することである。
［００１１］本発明の更に別の目的は、基地局が移動局（ＭＳ）に、ＭＳが同じブロードキャスト・サービス区域の範囲であるとわかるように、オーバヘッド・メッセージを介して、ブロードキャスト・サービス区域ＩＤを送信することを制御するための装置と方法を提供することである。
［００１２］本発明の一態様によれば、上記及び他の目的は、少なくとも一つのＢＣＭＣＳコントローラ及びＢＳ（基地局）を介してＢＣＭＣＳデータを受信するＭＳを含む移動通信システムにおいて、移動局（ＭＳ）がＢＣＭＣＳ（ブロードキャスト／マルチキャスト・サービス）データを受信することを制御する、以下のステップを含む方法により達成される。
　旧ＢＳからＢＣＭＣＳデータを受信する一方で、以前に記憶した旧ＢＣＭＣＳ区域ＩＤとは異なる新ＢＣＭＣＳ区域ＩＤを、新ＢＳから受信するこ
と、
　新ＢＳへ、ＢＣＭＣＳデータを要求すること、
　新ＢＳとのチャネルを確立すること、
　新ＢＳから、ＢＣＭＣＳ情報を受信すること、
　ＢＣＭＣＳ情報を用いて、新ＢＳから、ＢＣＭＣＳデータを受信するこ
と。）
（２）「[0022]   FIG. 1  is a block diagram illustrating a broadcast service system in accordance with the present invention. Referring to  FIG. 1 , a BCMCS (Broadcast/Multicast Service Server or Contents Server) server  120  generates broadcast data including video and sound data used for a broadcast service in the form of a compressed IP (Internet Protocol) packet. The broadcast data in the compressed IP is transmitted to a plurality of base stations (BSs)  150 a ,  150 b ,  150 c , and  150 d  over PDSNs (Packet Data Service Nodes)  140 a  and  140 b  included in a packet communication network such as the Internet. 
[0023]  The BSs  150 a ,  150 b ,  150 c , and  150 d  each include a BTS (Base Transceiver Subsystem), a BSC (Base Station Controller), and a PCF (Packet Control Function) module. A second BCMCS controller  110 b , which is connected to a first BCMCS controller  110 a , controls communication between the BCMCS server  120  and the MSs  160 a  and  160 b , and performs some functions between an air interface and a RAN (Radio Access Network) to implement a desired broadcast service. Although the present invention discloses only one BCMCS server  120  for the convenience of description, it should be noted that the present invention can also use a plurality of BCMCS servers. 
……
[0027]  The BSs  150 a ,  150 b ,  150 c , and  150 d  require information associated with broadcast service zone IDs for identifying the BCMCS controller zone in which either of the MSs  160 a  and  160 b  is positioned. The requisite information is shown below in Table 1.
　　　　　　　　　　　　　　　TABLE 1　　　　　　　　　　　　　　　　　　　　　Field　　　　　　　　　　　　　　　　　Length(Bits)　 　
　　　　　　　　　　　　　　　　　　　　　　　　　　　　　　　　　　
[0028]  With reference to Table 1, the BCMCS_SUPPORT field indicates whether a broadcast/multicast service of 1 bit is supported. If it a corresponding cell can support the broadcast/multicast service, the BCMCS_SUPPORT field is set to #1#. However, if a corresponding cell cannot support the broadcast/multicast service, the BCMCS_SUPPORT field is set to #0#. The BCMCS_ZONE_ID field identifies a broadcast service zone ID, and is comprised of 8 bits when the BCMCS_SUPPORT field is set to #1#. Additionally, the BCMCS_ZONE_ID indicates zone ID information of a BCMCS controller controlling a current broadcast service.」
（当審訳
［００２２］図１は、本発明に基づくブロードキャスト・サービス・システムを説明するブロック図である。図１によれば、ＢＣＭＣＳ（ブロードキャスト／マルチキャスト・サービス・サーバまたはコンテンツ・サーバ）サーバ１２０は、圧縮したＩＰ（インターネット・プロトコル）パケット形式でブロードキャスト・サービスに使用する、映像及び音声データを含むブロードキャスト・データを生成する。圧縮したＩＰのブロードキャスト・データは、複数の基地局（ＢＳｓ）１５０ａ、１５０ｂ、１５０ｃ、及び１５０ｄに、インターネットのようなパケット通信ネットワークに含まれるＰＤＳＮｓ（パケット・データ・サービス・ノード）１４０ａ及び１４０ｂを介して送られる。
［００２３］ＢＳ１５０ａ、１５０ｂ、１５０ｃ、及び１５０ｄはそれぞ
れ、ＢＴＳ（ベース・トランシーバ・サブシステム）、ＢＳＣ（基地局コントローラ）、及びＰＣＦ（パケット制御機能）モジュールを含む。第１ＢＣＭＣＳコントローラ１１０ａに接続された第２ＢＣＭＣＳコントローラ１１０ｂは、ＢＣＭＣＳサーバ１２０とＭＳ１６０ａ及び１６０ｂとの間の通信を制御し、希望されるブロードキャスト・サービスの実施のためにエア・インタフェースとＲＡＮ（無線アクセスネットワーク）との間のいくつかの機能を実行する。本発明は、説明の便宜上ただ一つのＢＣＭＣＳサーバ１２０を開示するが、本発明は複数のＢＣＭＣＳサーバを用いることができる点に留意すべきである。
……
［００２７］ＢＳ１５０ａ、１５０ｂ、１５０ｃ、及び１５０ｄは、ＭＳ１６０ａ及び１６０ｂのいずれかが位置するＢＣＭＣＳコントローラ区域を識別するため、ブロードキャスト・サービス区域ＩＤに関連した情報を必要とする。必要な情報を下記の表１に示す。
　　　　　　　　　　　　　　　　表１　　　　　　　　　　　　　　　　　　　　　フィールド　　　　　　　　　　　　　　長さ（ビット）　  　
　　　　　　　　　　　　　　　　　　　　　　　　　　　　　　　　　　
［００２７］表１を参照すると、ＢＣＭＣＳ＿ＳＵＰＰＯＲＴフィールド
は、１ビットで、ブロードキャスト／マルチキャスト・サービスがサポートされることを示す。通信するセルが、ブロードキャスト／マルチキャスト・サービスをサポート可能であれば、ＢＣＭＣＳ＿ＳＵＰＰＯＲＴフィールドは、「１」にセットされる。しかしながら、通信するセルが、ブロードキャスト／マルチキャスト・サービスをサポート不可能であれば、ＢＣＭＣＳ＿ＳＵＰＰＯＲＴフィールドは、「０」にセットされる。ＢＣＭＣＳ＿ＺＯＮＥ＿ＩＤフィールドは、ブロードキャスト・サービス区域ＩＤを識別し、ＢＣＭＣＳ＿ＳＵＰＰＯＲＴフィールドは、「１」にセットされていると、８ビットに構成される。さらに、ＢＣＭＣＳ＿ＺＯＮＥ＿ＩＤは、現在のブ
ロードキャスト・サービスを制御しているＢＣＭＣＳコントローラの区域ＩＤ情報を示す。）
（３）「[0043]   FIG. 4  is a flow chart illustrating a call control procedure in which a mobile station (MS) receives the same BCMCS content information in a new BCMCS zone as was received in the previous BCMCS zone in accordance with a third preferred embodiment of the present invention. Referring to  FIG. 4 , at step  400 , the MS  160  has received BCMCS data or currently receives the BCMCS data. The MS  160  receives a changed BCMCS zone ID BCMCS_ZONE_ID through the BSPM at step  410 , such that it can recognize that the BCMCS zone is changed to another zone. The MS  160  informs the new BS  150 a  of the BCMCS zone conversion, and indicates that a current mode is handed off to the second BCMCS controller  110 b  over the new PDSN  140 a  at step  420 . More specifically, the MS  160  transmits a registration message including a previous BCMCS zone ID BCMCS_ZONE_ID to the new BS  150 a  to indicate the BCMCS zone conversion at step  421 . The new BS  150 a  transmits a BCMCS zone handoff command message Inter-BCMCS Zone Handoff to the new PDSN  140 a  at step  422 . The new PDSN  140 a  transmits the received Inter-BCMCS Zone Handoff message to the second BCMCS controller  110 b  functioning as the new BCMCS controller at step  423 . As a result, the new PDSN  140 a  and the second BCMCS controller  110 b  can recognize a handoff state of the MS  160 . 
……
[0047]  Thereafter, the MS  160  recognizes that there is no change in the BCMCS contents, and transmits, at step  440 , a registration message to the new BS  150 a  so as to receive BCMCS data using its own current information. The MS  160  performs the same operation as described in step  350  of  FIG. 3 , and continues to receive the BCMCS data at step  450 .」
（当審訳
［００４３］図４は、本発明の第３実施例に基づいた、移動局（ＭＳ）が、以前のＢＣＭＣＳ区域で受信したものと同じＢＣＭＣＳコンテンツ情報を、新ＢＣＭＣＳ区域で受信する、呼制御処理を示す、フローチャートである。図４において、ステップ４００で、ＭＳ１６０は、ＢＣＭＣＳデータを受信したか、現在受信中である。ＭＳ１６０は、ステップ４１０で、ＢＳＰＭを介して、変化したＢＣＭＣＳ区域ＩＤ「ＢＣＭＣＳ＿ＺＯＮＥ＿ＩＤ」を受信して、それによって、ＢＣＭＣＳ区域が別の区域に変わったことを認識する。ＭＳ１６０は、ステップ４２０で、新ＢＳ１５０ａにＢＣＭＣＳ区域の変更を通知し、ＰＤＳＮ１４０ａの上位の第２ＢＣＭＣＳコントローラ１１０ｂに、現在のモードがハンドオフであると示す。より詳細には、ＭＳ１６０は、ステップ４２１で、新ＢＳ１５０ａにＢＣＭＣＳ区域の変更を示すために、以前のＢＣＭＣＳ区域ＩＤ「ＢＣＭＣＳ＿ＺＯＮＥ＿ＩＤ」を含んだ登録メッセージを送信する。　
新ＢＳ１５０ａは、ステップ４２２で、ＢＣＭＣＳ区域ハンドオフ命令メッセージ「Ｉｎｔｅｒ−ＢＣＭＣＳ　Ｚｏｎｅ　Ｈａｎｄｏｆｆ」を送信す
る。新ＰＤＳＮ１４０ａは、ステップ４２３で、受信したＢＣＭＣＳ区域間ハンドオフ・メッセージを、新ＢＣＭＣＳコントローラとして機能する第２ＢＣＭＣＳコントローラ１１０ｂに、送信する。その結果、新ＰＤＳＮ１４０ａ及び第２ＢＣＭＣＳコントローラ１１０ｂは、ＭＳ１６０のハンドオフ状態を認識できる。
……
［００４７］その後、ＭＳ１６０はＢＣＭＣＳコンテンツに変化がないことを認識し、ステップ４４０で、自身の現在の情報を用いてＢＣＭＣＳデータを受信するために、登録メッセージを新ＢＳ１５０ａに送信する。ＭＳ１６０は図３のステップ３５０と同様の処理を実行し、ステップ４５０で、ＢＣＭＣＳデータの受信を続ける。）
　したがって、引用例には、次の発明（以下、「引用発明」という。）が記載されているといえる。
　少なくとも一つのＢＣＭＣＳコントローラ及びＢＳ（基地局）を介してＢＣＭＣＳデータを受信するＭＳを含む移動通信システムにおいて、移動局
（ＭＳ）がＢＣＭＣＳ（ブロードキャスト／マルチキャスト・サービス）
データを受信する制御において、
　旧ＢＳからＢＣＭＣＳデータを受信する一方で、以前に記憶した旧ＢＣＭＣＳ区域ＩＤとは異なる新ＢＣＭＣＳ区域ＩＤを、新ＢＳから受信し、それによって、ＢＣＭＣＳ区域が別の区域に変わったことを認識すること、
　新ＢＳへ、現在のモードがハンドオフであると示し、ＢＣＭＣＳデータを要求すること、
　新ＢＳとのチャネルを確立すること、
　新ＢＳから、ＢＣＭＣＳ情報を受信すること、
　ＢＣＭＣＳ情報を用いて、新ＢＳから、ＢＣＭＣＳデータを受信すること
を特徴とする移動通信システム。
２．対比
　本願の請求項１−１５に係る発明は、その特許請求の範囲の請求項１−１５に記載された事項により特定されるとおりのものである。
　本願の請求項１に係る発明（以下、「本願発明」という。）と引用発明とを対比する。
（１）引用発明は、「旧ＢＳからＢＣＭＣＳデータを受信する一方で、以前に記憶した旧ＢＣＭＣＳ区域ＩＤとは異なる新ＢＣＭＣＳ区域ＩＤを、新ＢＳから受信し、それによって、ＢＣＭＣＳ区域が別の区域に変わったことを認識すること」とするものであるから、「旧ＢＳ」は「旧ＢＣＭＣＳ区域」に、「新ＢＳ」は「新ＢＣＭＣＳ区域」に属していることを示しているといえる。
　引用発明は明示的な記載はないが、「新ＢＣＭＣＳ区域ＩＤ」を「新Ｂ
Ｓ」から受信するのと同様に、「旧ＢＣＭＣＳ区域ＩＤ」は「旧ＢＳ」から受信したものであることは明らかであり、「新ＢＳ」は「新ＢＣＭＣＳ区域ＩＤ」を送信し、「旧ＢＳ」は「旧ＢＣＭＣＳ区域ＩＤ」を送信することを示しているといえる。
　引用発明は、「旧ＢＳからＢＣＭＣＳデータを受信する」とあるから、
「旧ＢＳ」は「ＢＣＭＣＳデータ」を送信するものであり、「旧ＢＣＭＣＳ区域」に送信することは当然のことである。
　引用発明は、「新ＢＳから、ＢＣＭＣＳデータを受信すること」とあるから、「新ＢＳ」は「ＢＣＭＣＳデータ」を送信するものであり、「新ＢＣＭＣＳ区域」に送信することは当然のことである。
　ＭＢＭＳはブロードキャスト／マルチキャスト・サービスの一種であるから、本願発明と引用発明とは、
　第１のブロードキャスト／マルチキャスト・サービス地帯にサービスを提供する１つ以上の第１の基地局であって、前記１つ以上の第１の基地局が前記第１のブロードキャスト／マルチキャスト・サービス地帯に属すると識別する情報を送信するように構成された１つ以上の第１の基地局と、
　第２のブロードキャスト／マルチキャスト・サービス地帯にサービスを提供する１つ以上の第２の基地局であって、前記１つ以上の第２の基地局が前記第２のブロードキャスト／マルチキャスト・サービス地帯に属すると識別する情報を送信するように構成された１つ以上の第２の基地局とを備え、
とする点で共通するといえる。
（２）引用発明は、「以前に記憶した旧ＢＣＭＣＳ区域ＩＤとは異なる新ＢＣＭＣＳ区域ＩＤを、新ＢＳから受信し、それによって、ＢＣＭＣＳ区域が別の区域に変わったことを認識すること」とし、その後に「新ＢＳへ、現在のモードがハンドオフであると示し」とするので、「新ＢＣＭＣＳ区域Ｉ
Ｄ」を受信することで、ハンドオフを行うことを決定しているといえ、「ＢＣＭＣＳ区域が別の区域に変わったことを認識すること」としていることからも明らかなように、このハンドオフは「旧ＢＣＭＣＳ区域」から「新ＢＣＭＣＳ区域」へのハンドオフである。
　また、上記のようにＭＢＭＳはブロードキャスト／マルチキャスト・サービスの一種であるから、本願発明と引用発明とは、
　第１と第２のブロードキャスト／マルチキャスト・サービス地帯に位置する複数のユーザ・エレメントは、１つ以上の第２の基地局が第２のブロードキャスト／マルチキャスト・サービス地帯に属すると識別する前記１つ以上の第２の基地局によって送信された情報に基づいて、第１と第２のブロードキャスト／マルチキャスト・サービス地帯の間のハンドオフをいつ行うか判定することができ、
とする点で共通するといえる。
（３）引用発明と本願発明とは、ブロードキャスト／マルチキャスト・サービスを供給する無線通信システムである点で共通するといえる。
　したがって、本願発明と引用発明とを対比すると、以下の点で一致し、また相違する。
一致点
　第１のブロードキャスト／マルチキャスト・サービス地帯にサービスを提供する１つ以上の第１の基地局であって、前記１つ以上の第１の基地局が前記第１のブロードキャスト／マルチキャスト・サービス地帯に属すると識別する情報を送信するように構成された１つ以上の第１の基地局と、
　第２のブロードキャスト／マルチキャスト・サービス地帯にサービスを提供する１つ以上の第２の基地局であって、前記１つ以上の第２の基地局が前記第２のブロードキャスト／マルチキャスト・サービス地帯に属すると識別する情報を送信するように構成された１つ以上の第２の基地局とを備え、
　第１と第２のブロードキャスト／マルチキャスト・サービス地帯に位置する複数のユーザ・エレメントは、１つ以上の第２の基地局が第２のブロードキャスト／マルチキャスト・サービス地帯に属すると識別する前記１つ以上の第２の基地局によって送信された情報に基づいて、第１と第２のブロードキャスト／マルチキャスト・サービス地帯の間のハンドオフをいつ行うか判定することができ、
　ブロードキャスト／マルチキャストサービスを供給する無線通信システ
ム。
相違点１
　本願発明は、ブロードキャスト／マルチキャストサービスがマルチメディア・ブロードキャスト・マルチキャストサービス（ＭＢＭＳ）であるのに対して、引用発明は、マルチメディアのサービスであるか否か明らかでない
点。
相違点２
　本願発明は、ハンドオフをいつ行うかの判定を、「１つ以上の第２の基地局が第２のブロードキャスト／マルチキャスト・サービス地帯に属すると識別する前記１つ以上の第２の基地局によって送信された情報」だけでなく、「１つ以上の第１の基地局が第１のＭＢＭＳ地帯に属すると識別する前記１つ以上の第１の基地局によって送信された情報」にも基づいて行うのに対して、引用発明は「１つ以上の第１の基地局が第１のＭＢＭＳ地帯に属すると識別する前記１つ以上の第１の基地局によって送信された情報」に対応する「旧ＢＣＭＣＳ区域ＩＤ」に基づくことについては特定がない点。
３．判断
　上記相違点２について検討する。
　引用発明は、「以前に記憶した旧ＢＣＭＣＳ区域ＩＤとは異なる新ＢＣＭＣＳ区域ＩＤを、新ＢＳから受信し、それによって、ＢＣＭＣＳ区域が別の区域に変わったことを認識すること」とするものであるから、「新ＢＣＭＣＳ区域ＩＤ」を受信するだけで、「旧ＢＣＭＣＳ区域ＩＤ」を受信する必要はないものである。
　また、引用例２−４、及び拒絶査定で示された周知例１、２にも、上記相違点２を本願発明のようにすることは、記載も示唆もされていない。
　したがって、引用発明において、ブロードキャスト／マルチキャストサービスをマルチメディア・ブロードキャスト・マルチキャストサービスとすることが、容易にできることであるとしても、本願発明は、引用発明、引用例２−４、及び拒絶査定で示された周知例１、２に基づいて、当業者が容易に発明をすることができたものとすることはできない。
　請求項６に係る発明は本願発明に対応する方法の発明であり、請求項１１に係る発明は本願発明に対応するユーザ・エレメントの発明であり、請求項２−５は請求項１を引用するもので、請求項７−１０は請求項６を引用するもので、請求項１２−１５は請求項１１を引用するものであるから、他の請求項に係る発明についても同様である。
第５．むすび
　以上のとおり、本願の請求項１−１５に係る発明は、引用例１−４に記載された発明に基いて、当業者が容易に発明をすることができたものとすることができないから、原査定の理由によっては、本願を拒絶することはできない。
　また、他に本願を拒絶すべき理由を発見しない。
　よって、結論のとおり審決する。